(57)【要約】      （修正有）【課題】サブフィールド駆動を行う電気光学装置の駆動装置において、走査速度の上昇を抑制しつつサブフィールド駆動で階調再現力を向上させる。【解決手段】電気光学装置は、相交差する走査線及びデータ線並び画素部を備える。駆動装置は、走査信号を供給する走査信号供給手段と、データ線を介してサブフィールド単位の画像信号を、走査信号が第ｉ（但しｉは自然数）番目の走査線を介して供給される第ｉ選択期間中に複数回供給する画像信号供給手段とを備える。【選択図】図３
2010026086.tif 000002
【特許請求の範囲】
【請求項１】
画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動装置であって、
前記複数の走査線を介して走査信号を供給する走査信号供給手段と、
前記複数のデータ線を介して、１フレームが時間軸上で分割されてなる複数のサブフィールド単位の画像信号を、前記走査信号が前記複数の走査線のうち第ｉ（但しｉは自然数）番目の走査線を介して供給される第ｉ選択期間中に複数回供給する画像信号供給手段と
を備えることを特徴とする電気光学装置の駆動装置。
【請求項２】
前記画像信号供給手段は、前記画像信号として、前記複数のサブフィールドの各々について、前記複数の画素部毎に表示すべき階調に応じたオン電圧又はオフ電圧を供給することを特徴とする請求項１又は２に記載の電気光学装置の駆動装置。
【請求項３】
前記画像信号供給手段は、
前記複数のサブフィールドのうち少なくとも２つ以上のサブフィールドについては、前記画像信号を前記第ｉ選択期間中に複数回供給し、
前記複数のサブフィールドのうち前記少なくとも２つ以上のサブフィールドを除く他のサブフィールドについては、前記画像信号を前記第ｉ選択期間中に１回だけ供給する
ことを特徴とする請求項１に記載の電気光学装置の駆動装置。
【請求項４】
前記画像信号供給手段は、前記第ｉ選択期間中に、前記画像信号を連続して複数回供給することを特徴とする請求項１から３のいずれか一項に記載の電気光学装置の駆動装置。
【請求項５】
前記画像信号供給手段は、前記第ｉ選択期間中に、前記画像信号を不連続で複数回供給することを特徴とする請求項１から３のいずれか一項に記載の電気光学装置の駆動装置。
【請求項６】
前記画像信号供給手段は、前記第ｉ選択期間中における等間隔の期間毎に、前記画像信号を複数回供給することを特徴とする請求項４又は５に記載の電気光学装置の駆動装置。
【請求項７】
前記画像信号供給手段は、前記第ｉ選択期間中における不等間隔又は任意の期間毎に、前記画像信号を複数回供給することを特徴とする請求項４又は５に記載の電気光学装置の駆動装置。
【請求項８】
前記走査信号供給手段は、前記画像表示領域が前記走査線に沿った分割線で分割されてなる複数の領域別に交代で、前記走査信号を供給し、
前記画像信号供給手段は、前記画像信号を前記走査信号に同期して供給する
ことを特徴とする請求項１から７のいずれか一項に記載の電気光学装置の駆動装置。
【請求項９】
前記走査信号供給手段は、前記複数の領域を交代する前と後とで前記複数の走査線のうち同一の走査線を介して、前記走査信号を供給することを特徴とする請求項８に記載の電気光学装置の駆動装置。
【請求項１０】
画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動装置であって、
前記複数の走査線を介して走査信号を、前記画像表示領域が前記走査線に沿った分割線で分割されてなる複数の領域別に交代で供給する走査信号供給手段と、
前記複数のデータ線を介して、１フレームが時間軸上で分割されてなる複数のサブフィールド単位の画像信号を、前記走査信号に同期して供給する画像信号供給手段と
を備え、
前記走査信号供給手段は、前記複数の領域を交代する前と後とで前記複数の走査線のうち同一の走査線を介して、前記走査信号を供給する
ことを特徴とする電気光学装置の駆動装置。
【請求項１１】
前記画像信号供給手段は、前記複数の領域を交代する前と後とに亘って、等間隔の期間毎に前記画像信号を供給することを特徴とする請求項１０に記載の電気光学装置の駆動装置。
【請求項１２】
画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動方法であって、
前記複数の走査線を介して走査信号を、供給する走査信号供給工程と、
前記複数のデータ線を介して、１フレームが時間軸上で分割されてなる複数のサブフィールド単位の画像信号を、前記走査信号が前記複数の走査線のうち第ｉ（但しｉは自然数）番目の走査線を介して供給される第ｉ選択期間中に複数回供給する画像信号供給工程と
を備えることを特徴とする電気光学装置の駆動方法。
【請求項１３】
画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動方法であって、
前記複数の走査線を介して走査信号を、前記画像表示領域が前記走査線に沿った分割線で分割されてなる複数の領域別に交代で、供給する走査信号供給工程と、
前記複数のデータ線を介して、１フレームが時間軸上で分割されてなる複数のサブフィールド単位の画像信号を、前記走査信号に同期して供給する画像信号供給工程と
を備え、
前記走査信号供給工程は、前記複数の領域を交代する前と後とで前記複数の走査線のうち同一の走査線を介して、前記走査信号を供給する
ことを特徴とする電気光学装置の駆動方法。
【請求項１４】
請求項１から１１のいずれか一項に記載の電気光学装置の駆動装置を具備してなる電気光学装置。
【請求項１５】
請求項１４に記載の電気光学装置を具備してなる電子機器。
【発明の詳細な説明】
【技術分野】
【０００１】
本発明は、サブフィールド駆動することにより階調制御を行う、例えば液晶装置等の電気光学装置の駆動装置及び方法、並びに該駆動装置を備える電気光学装置及び例えば液晶プロジェクタ等の電子機器の技術分野に関する。
【背景技術】
【０００２】
この種の駆動装置では、１フィールドを時間軸上で複数のサブフィールドに分割し、各サブフィールドにおいて、各画素部に対し、階調に応じてオン電圧又はオフ電圧を印加する。即ち、サブフィールド駆動する。例えば、特許文献１には、オン電圧を印加した場合に電気光学材料の透過率が飽和するまでの飽和応答時間よりもサブフィールドの時間を短く設定し、表示データに基づいてオン電圧を印加するサブフィールドとオフ電圧を印加するサブフィールドとを決定して階調表現を行う技術が提案されている。
【０００３】
【特許文献１】特開２００３−１１４６６１号公報
【発明の開示】
【発明が解決しようとする課題】
【０００４】
しかしながら、サブフィールド駆動では、表現可能な階調数を増やすには、１フィールドを構成するサブフィールドの個数を増やす必要がある。よって、サブフィールド駆動でないフィールド駆動と比べて、走査速度或いは駆動周波数を極端に高める必要が生じ、駆動装置、配線、スイッチング素子等における対応が極めて困難になるという技術的問題点がある。
【０００５】
本発明は、例えば上記問題点に鑑みてなされたものであり、走査速度の上昇を抑制しつつサブフィールド駆動で階調再現力を向上させることが可能な電気光学装置の駆動装置及び方法、並びに、該駆動装置を備えた電気光学装置、及び該電気光学装置を備えた電子機器を提供することを課題とする。
【課題を解決するための手段】
【０００６】
本発明の電気光学装置の第１の駆動装置は上記課題を解決するために、画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動装置であって、前記複数の走査線を介して走査信号を、供給する走査信号供給手段と、前記複数のデータ線を介して、１フレームが時間軸上で分割されてなる複数のサブフィールド単位の画像信号を、前記走査信号が前記複数の走査線のうち第ｉ（但しｉは自然数）番目の走査線を介して供給される第ｉ選択期間中に複数回供給する画像信号供給手段とを備える。
【０００７】
本発明の第１の駆動装置によれば、その動作時には、例えば電源信号、データ信号、制御信号等の各種信号が入出力されると、例えば基板上に作り込まれた走査線駆動回路等を含む走査信号供給手段によって、走査信号が複数の走査線を介して、画素部に例えば線順次で供給される。これと並行して、例えば基板上に作り込まれたデータ線駆動回路、サンプリング回路等を含む画像信号供給手段によって、画像信号が複数のデータ線を介して、画素部に同時に又は逐次に供給される。ここに「画素部」は、例えば、基板上に画像表示領域にマトリクス状に配列され、一対の基板間に液晶等の電気光学物質を挟持してなり、画素スイッチング用ＴＦＴによってアクティブ駆動が実行される。例えば、画素スイッチング用ＴＦＴのゲート端子に走査信号が印加されると、データ線から供給される画像信号が、画素スイッチング用ＴＦＴのソースドレインを介して、画素部を構成する画素電極に書き込まれる。その結果、例えば、画素部を構成する画素電極と対向電極間との間に画像信号に対応する駆動電圧が印加され、液晶の配向状態等の電気光学物質の動作状態が変えられる。
【０００８】
ここで本発明では特に、「画像信号供給手段」は、複数の走査線のうち特定の第ｉ番目の走査線に走査信号が供給されている間に、データ線を介して画像信号を複数回供給する。即ち、一本の走査線が選択されている最中に、その走査線に接続された一つの画素部に書き込まれる画像信号が、変化される。「第ｉ選択期間」は、複数の走査線のうち特定の第ｉ番目の走査線に走査信号が供給されている期間、つまり一水平走査期間を意味している。「画像信号」は、典型的には、サブフィールド駆動で用いられるデジタルのオン電圧又はオフ電圧であり、これが各画素に印加されると、デジタル駆動、即ちサブフィールド駆動が行われる。
【０００９】
このように第ｉ選択期間に、画像信号が複数回書き込まれることによって、一つの選択期間内に、画像信号のオン電圧及びオフ電圧が適宜に切り換えられることで、画素部は、例えば線順次方式でサブフィールド駆動される。言い換えれば、一つの選択期間が一つのサブフィールドに対応するのではなく、一つの選択期間が複数のサブフィールドに対応する或いは分割されていることになる。つまり、第ｉ選択期間に画像信号が複数回書き込まれることによって画素を反転駆動させることを、全ての走査線について繰り返せば、実質的に１フレームを時間軸上で複数のサブフィールドに分割した場合と等価であるとみなすことができる。従って、走査線の駆動スピードを上げることなくサブフィールドの数を作りだすことが可能である。このように各画素部における、サブフィールド駆動による表示動作等の電気光学動作が行われる。
【００１０】
尚、第ｉ選択期間には、典型的には、走査信号がハイとされたまま維持されるが、走査信号がハイとされた後に一旦ローとされ、再びハイとされるなど、同一の走査線に対して走査信号が供給される、即ち同一の走査線が選択され続けている（即ち走査信号を供給すべき走査線に変化が無い）限りにおいて、走査信号のハイ／ローの変化又は無変化については問わない。
【００１１】
以上のように第１の駆動装置によれば、走査線の走査スピードを増加させることなく、画像信号の書き込みタイミングによってサブフィールドの数を増加させることができる。その結果、例えば複数の走査線が順次駆動されることによって画像が表示される線順次方式の表示装置においても、階調数の多いサブフィールド駆動によって高品質な画像表示が可能となる。
【００１２】
本発明の第１の駆動装置の他の態様では、前記画像信号供給手段は、前記画像信号として、前記複数のサブフィールドの各々について、前記複数の画素部毎に表示すべき階調に応じたオン電圧又はオフ電圧を供給する。
【００１３】
この態様によれば、各サブフィールドにおいて画素に表示すべき階調に応じたオン電圧および／またはオフ電圧の２値によるデータ信号を印加することによって、デジタル駆動（サブフィールド駆動）を行う。つまり、サブフィールド毎に画素はオン電圧又はオフ電圧を印加されることによって、即ち、中間調電位の画像信号が供給されることはなく、各画素部におけるオン電圧による表示（即ち、真っ白又は真っ黒）とオフ電圧による表示（即ち、真っ黒又は真っ白）との時間平均によって、視覚上における複数階調が実現される。例えば、１フレームがＭ個のサブフィールドに分割されれば、実現可能な階調の数はＭ＋１となる。
【００１４】
尚、画像信号に基づいて、どのサブフィールドにおいてオン電圧および／またはオフ電圧を印加するかは、予めメモリ等の記憶装置に格納されているコードパターンを用意しておき、それに従って判断するとよい。
【００１５】
本発明の第１の駆動装置の他の態様では、前記画像信号供給手段は、前記複数のサブフィールドのうち少なくとも２つ以上のサブフィールドについては、前記画像信号を前記第ｉ選択期間中に複数回供給し、前記複数のサブフィールドのうち前記少なくとも２つ以上のサブフィールドを除く他のサブフィールドについては、前記画像信号を前記第ｉ選択期間中に１回だけ供給する。
【００１６】
この態様によれば、画像信号供給手段は、サブフィールドのうち少なくとも２つ以上のサブフィールドにおいて、画像信号を第ｉ選択期間中に複数回供給する。このようにすれば、特定のサブフィールドを画像信号の供給タイミングによって更に細かいサブフィールドに分割することができる。そのため、容易にサブフィールドの数の多くすることができ、階調表現を豊かにすることができる。尚、画像信号を複数階供給されないサブフィールドを含んでいてもよい。
【００１７】
本発明の第１の駆動装置の他の態様では、前記画像信号供給手段は、前記第ｉ選択期間中に、前記画像信号を連続して複数回供給する。
【００１８】
この態様によれば、第ｉ選択期間において連続して供給する画像信号数を増やすだけで、サブフィールドの数を極めて容易に増やすことができる。また、供給される画像信号の各々の間には、余分な信号等が入っていないため、各サブフィールドの期間も極めて短くすることができる。その結果、１フィールドにおけるサブフィールドの数を飛躍的に増大させることが可能となり、高画質な表示装置の駆動装置を実現することができる。
【００１９】
本発明の第１の駆動装置の他の態様では、前記画像信号供給手段は、前記第ｉ選択期間中に、前記画像信号を不連続で複数回供給する。
【００２０】
この態様では、画像信号供給手段によって画像信号を供給するタイミングを調整することにより、各画素に供給される複数の画像信号のうち時間的に隣接する２つの画像信号の間に、任意の待ち時間を設ける。つまり、このような待ち時間を設けることによって、各サブフィールドの時間幅を任意に調整することが可能となり、サブフィールドの数に対して表示可能な階調数を増大させることも可能となる。
【００２１】
本発明の第１の駆動装置の他の態様では、前記画像信号供給手段は、前記第ｉ選択期間中における等間隔の期間毎に、前記画像信号を複数回供給する。
【００２２】
この態様によれば、１水平時間を等分割した時間毎に画像信号を供給する。そのため、比較的簡単な制御によって、特定の期間を有するサブフィールドを１水平時間内に効率的に配置することが可能になる。
【００２３】
本発明の第１の駆動装置の他の態様では、前記画像信号供給手段は、前記第ｉ選択期間中における不等間隔又は任意の期間毎に、前記画像信号を複数回供給する。
【００２４】
この態様では、画像信号供給手段によって画像信号を供給するタイミングを任意に調整することができる。つまり、１水平期間を、様々な期間を有するサブフィールドに分割することが可能となり、サブフィールドの数に対して表示可能な階調数を増大させることも可能となる。
【００２５】
本発明の第１の駆動装置の他の態様では、前記走査信号供給手段は、前記画像表示領域が前記走査線に沿った分割線で分割されてなる複数の領域別に交代で、前記走査信号を供給し、前記画像信号供給手段は、前記画像信号を前記走査信号に同期して供給する。
【００２６】
このように構成すれば、画像表示領域上において上下に離れた複数の領域を交互に、例えば線順次で走査線を駆動することが可能になる。そして、走査線を駆動させる走査信号に同期するようにしてデータ線に画像信号を供給することで、複数の領域毎に走査（即ち領域走査）を実行できる
この態様では、前記走査信号供給手段は、前記複数の領域を交代する前と後とで前記複数の走査線のうち同一の走査線を介して、前記走査信号を供給するように構成してもよい。
【００２７】
このように構成すれば、画像表示領域において上下に離れた複数の領域の走査線を駆動させるのに用いられていた走査信号が、複数の領域を交代する前と後とで同一の走査線に対して供給される。即ち、時間軸上で相前後して供給される複数の走査信号によって１本の走査線が駆動される。このようにして駆動される走査線を例えば線順次でシフトさせることによって、領域走査におけるサブフィールド駆動により階調数を増大させることが可能となる。
【００２８】
本発明の電気光学装置の第２の駆動装置は上記課題を解決するために、画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動装置であって、前記複数の走査線を介して走査信号を、前記画像表示領域が前記走査線に沿った分割線で分割されてなる複数の領域別に交代で、供給する走査信号供給手段と、前記複数のデータ線を介して、１フレームが時間軸上で分割されてなる複数のサブフィールド単位の画像信号を、前記走査信号に同期して供給する画像信号供給手段とを備え、前記走査信号供給手段は、前記複数の領域を交代する前と後とで前記複数の走査線のうち同一の走査線を介して、前記走査信号を供給する。
【００２９】
本発明の第２の駆動装置によれば、その動作時には、走査信号供給手段によって、走査信号が複数の走査線を介して、画素部に例えば線順次で供給される。これと並行して、画像信号供給手段によって、画像信号が複数のデータ線を介して、画素部に同時に又は逐次に供給される。
【００３０】
ここで本発明では特に、走査信号供給手段によって、画像表示領域が走査線に沿った分割線で分割されてなる複数の領域別に交代で、走査信号が複数の走査線を介して例えば線順次で供給される。しかも、この際、複数の領域を交代する前と後とで、複数の走査線のうち同一の走査線を介して、走査信号が供給される。よって、複数の領域毎に走査（即ち領域走査）を実行できる。しかも、この際、複数の領域を交代する前と後とで同一の走査線を介して走査信号が供給されるので、領域走査におけるサブフィールド駆動により階調数を増大させることが可能となる。
【００３１】
尚、画像表示領域上において上下に離れた複数の領域の一方の領域について、このように複数の領域を交代する前と後とで同一走査線を介して走査信号を供給し、他方の領域については、同一走査線を介して走査信号を連続して２回ずつ供給するように構成してもよい。即ち、一方の領域については、自らの走査が行われる順番が回ってきた際に、走査線に走査信号が１回だけ供給され、次の自らの走査が行われる順番が回ってきた際に、同一走査線に再び走査信号が１回だけ供給される。そして、他方の領域については、自らの走査が行われる順番が回ってきた際に、同一走査線に対して走査信号が続けて２回供給されるように構成されてもよい。
【００３２】
以上のように第２の駆動装置によれば、領域走査において、走査線の走査スピードを増加させることなく、画像信号の書き込みタイミングによってサブフィールドの数を増加させることができる。その結果、例えば複数の走査線が順次駆動されることによって画像が表示される線順次方式の表示装置においても、階調数の多いサブフィールド駆動によって高品質な画像表示が可能となる。
【００３３】
第２の駆動装置の一態様では、前記画像信号供給手段は、前記複数の領域を交代する前と後とに亘って、等間隔の期間毎に前記画像信号を供給する。
【００３４】
この態様によれば、各サブフィールドの期間が等しくなることから、１フレームにおいて複数のサブフィールドを効率的に配置することができる。
【００３５】
尚、第２の駆動装置においての、上述した本発明の第１の駆動装置と同様の態様を適宜採用することが可能である。
【００３６】
本発明の電気光学装置の第１の駆動方法は上記課題を解決するために、画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動方法であって、前記複数の走査線を介して走査信号を、供給する走査信号供給工程と、前記複数のデータ線を介して、１フレームが時間軸上で分割されてなる複数のサブフィールド単位の画像信号を、前記走査信号が前記複数の走査線のうち第ｉ（但しｉは自然数）番目の走査線を介して供給される第ｉ選択期間中に複数回供給する画像信号供給工程とを備える。
【００３７】
本発明の第１の駆動方法によれば、上述した本発明の第１の駆動装置の場合と同様に、応答特性変化に対して安定した電気光学装置の駆動が実現できる。
【００３８】
尚、本発明の第１の駆動方法においても、上述した本発明の第１の駆動装置と同様の各種態様を採ることが可能である。
【００３９】
本発明の電気光学装置の第２の駆動方法は上記課題を解決するために、画像表示領域に相交差して配線された複数の走査線及び複数のデータ線並びに該複数の走査線及び複数のデータ線の交点に対応するように配列された複数の画素部を備える電気光学装置をサブフィールド駆動する電気光学装置の駆動方法であって、前記複数の走査線を介して走査信号を、前記画像表示領域が前記走査線に沿った分割線で分割されてなる複数の領域別に交代で、供給する走査信号供給工程と、前記複数のデータ線を介して、１フレームが時間軸上で分割されてなる複数のサブフィールド単位の画像信号を、前記走査信号に同期して供給する画像信号供給工程とを備え、前記走査信号供給工程は、前記複数の領域を交代する前と後とで前記複数の走査線のうち同一の走査線を介して、前記走査信号を供給する。
【００４０】
本発明の第２の駆動方法によれば、上述した本発明の第２の駆動装置の場合と同様に、応答特性変化に対して安定した電気光学装置の駆動が実現できる。
【００４１】
尚、本発明の第２の駆動方法においても、上述した本発明の第１の駆動装置と同様の各種態様を採ることが可能である。
【００４２】
本発明の電気光学装置は上記課題を解決するために、上述した本発明の電気光学装置の第１又は第２の駆動装置（但し、その各種態様を含む）を具備してなる。
【００４３】
本発明の電気光学装置によれば、上述した本発明の第１又は第２の駆動装置を具備しているので、各画素部における応答特性変化によらずに、高品位の画像表示が可能となる。
【００４４】
本発明に係る電子機器は上記課題を解決するために、上述した本発明の電気光学装置を具備してなる。
【００４５】
本発明に係る電子機器によれば、上述した本発明に係る液晶装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００４６】
本発明のこのような作用及び他の利得は次に説明する実施形態から明らかにされる。
【発明を実施するための最良の形態】
【００４７】
以下、図面を参照して本発明の好適な実施形態について説明する。
［第１実施形態］
先ず第１実施形態に係る電気光学装置の駆動装置の全体構成について、図１を参照して説明する。ここに図１は、第１実施形態に係る画像表示装置の概略構成を示すブロック図である。
【００４８】
図１において、画像表示装置は、主に、コントローラ４０、走査線駆動回路１０４、データ線駆動回路１０１、及び表示パネル１４とを備える。画像表示装置は、画像信号を取得し、これを表示させるための装置である。具体的には、画像表示装置は、１フィールドを時間軸上で複数のサブフィールドに分割して各サブフィールドにおいて各画素を階調に応じてオン電圧又はオフ電圧を印加するサブフィールド駆動方式に基づいて、画像を表示する。つまり、１サブフィールド期間内で全画素を順次、オン若しくはオフに相当する２値の電圧のどちらかで書込み、この動作を１フィールドを構成する全てのサブフィールドにおいて繰り返し実行することで、１フィールド期間の明るさを画素別に決定する。このように画像信号は、コントローラ４０が含む変換回路等によって、画素毎に表示すべき階調に対応するオン電圧又はオフ電圧を持つデジタル信号として、コントローラ４０から供給される。
【００４９】
コントローラ４０は、クロック信号ｃｌｋと、垂直走査信号ＶＳと、水平走査信号ＨＳと、画像信号Ｄと、を外部から取得する。そして、コントローラ４０は、これらの取得した信号に基づいて、スタートパルスＤＹと、走査側転送クロックＣＬＹと、データ転送クロックＣＬＸと、イネーブル信号ＥＮＢＸと，画像データ信号Ｄｓと、を生成する。スタートパルスＤＹは、走査側（Ｙ側）に対する走査の開始タイミングで出力されるパルス信号である。走査側転送クロックＣＬＹは、走査側（Ｙ側）の水平走査を規定する信号である。イネーブル信号ＥＮＢＸは、データ線駆動回路１０４へデータ転送を開始する、及び走査線毎データを画素１４ｃへ出力するタイミングを決めるパルス信号であって、走査側転送クロックＣＬＹのレベル遷移（即ち、立ち上がり及び立ち下がり）に同期して出力される。データ転送クロックＣＬＸは、データ線駆動回路１０１へデータを転送するタイミングを規定する信号である。画像データ信号Ｄｓは、画像信号Ｄに対応する電圧信号であり、サブフィールド期間毎に画素１４ｃをオン状態又はオフ状態にするためのハイレベル又はローレベルを示すデータである。
【００５０】
走査線駆動回路１０４は、コントローラ４０から、スタートパルスＤＹと、走査側転送クロックＣＬＹとを取得することにより、表示パネル１４の走査線１４ａに対して走査信号Ｇ１、Ｇ２、Ｇ３、…、Ｇｎを順次出力する。具体的には、走査線駆動回路１１はシフトレジスタで構成されており、コントローラ４０から供給されるスタートパルスＤＹを走査側転送クロックＣＬＹに従って、走査線１４ａを順次駆動、つまり線順次方式によって駆動する。尚、本実施形態では線順次方式で走査線１４ａを駆動する例を便宜上示しているが、他の駆動方式を用いて走査線を駆動してもよい。
【００５１】
データ線駆動回路１０１は、コントローラ４０から、イネーブル信号ＥＮＢＸと、データ転送クロックＣＬＸと、データ信号Ｄｓとを取得し、表示パネル１４のデータ線１４ｂに対してデータ信号ｄ１、ｄ２、ｄ３、…、ｄｍを出力する。具体的には、データ線駆動回路１０１は、ある水平走査期間において画像データ信号Ｄｓをデータ線１４ｂの本数に相当するｍ個順次ラッチした後、ラッチしたｍ個の画像データ信号Ｄｓを、次の水平走査期間において、それぞれ対応するデータ線１４ｂにデータ信号ｄ１、ｄ２、ｄ３、…、ｄｍとして一斉に供給するものである。本実施形態では、当該駆動装置の動作中には、イネーブル信号ＥＮＢＸはハイレベルに設定されており、画像データ信号Ｄｓの出力値に応じて画素１４ｃに駆動電圧が供給される。
【００５２】
表示パネル１４は、液晶（ＬＣＤ）などによって構成され、電圧が印加されることによって画像信号などを表示する表示部である。具体的には、表示パネル１４は、走査線１４ａと、データ線１４ｂと、画素１４ｃとを備える。詳しくは、表示パネル１４には、ｎ本（なお、「ｎ」は偶数であるものとする）の走査線１４ａが、図においてＸ（行）方向に延在して形成され、ｍ本のデータ線１４ｂがＹ（列）方向に沿って延在して形成されている。そして、画素１４ｃは、走査線１４ａとデータ線１４ｂとの各交差に対応して設けられて、マトリクス状に配列されている。
【００５３】
図２を参照して、駆動装置の動作時に用いる各制御信号について説明する。図２は、ＹスタートパルスＤＹと走査側転送クロックＣＬＹと走査線駆動回路１１から出力される走査信号Ｇｎのタイミングチャートである。
【００５４】
コントローラ４０に垂直走査信号ＶＳが入力されると、コントローラ４０は、１垂直期間（１フィールド期間）毎にスタートパルスＤＹを発生する。その後、走査側転送クロックＣＬＹに従って、走査信号Ｇ１からＧｎが順次出力される。具体的には、走査線駆動回路１０４内にシフトレジスタが組み込まれており、走査側転送クロックＣＬＹに同期するタイミングで走査信号Ｇｎが順次出力される。そして、１フィールド期間が経過すると、再びスタートパルスＤＹが入力され、走査信号Ｇｎが再び順次出力される。
【００５５】
尚、走査線側転送クロックＣＬＹは、後に説明するように、特定の走査線に走査信号Ｇｎが供給されることにより、当該走査線が選択駆動されている間に、複数の画像データ信号Ｄｓを各画素に書き込む必要があるので、一般的な駆動方法に比べて周波数が小さく設定されている。
【００５６】
次に、図３を参照して、特定の走査信号Ｇｎと、画像データ信号Ｄｓのタイミングについて、タイミングチャートを用いて説明する。図３は、走査線側転送クロックＣＬＹ、走査信号Ｇｎ（尚、図３では代表してＧ１及びＧ２のみを表示）、データ転送クロックＣＬＸ及び画像データ信号Ｄｓの様子を示している。ここで、当該走査線側転送クロックＣＬＹの前半の１／２周期間を期間Ｔ１、後半の１／２周期間を期間Ｔ２と規定する。ここで、期間Ｔｉは本発明における「第ｉ選択期間」に相当する。即ち、図３において期間Ｔ１は第１選択期間、期間Ｔ２は第２選択期間である。尚、本実施形態においては、走査信号がハイとされたまま維持されるが、走査信号がハイとされた後に一旦ローとされ、再びハイとされるなど、同一の走査線に対して走査信号が供給されてもよい。
【００５７】
期間Ｔ１では、走査信号Ｇ１がハイレベルで、走査信号Ｇ２はローレベルに設定されている。一方、期間Ｔ２では、走査信号Ｇ２がハイレベルで、走査信号Ｇ３はローレベルに設定されている。このように、走査側転送クロックパルスＣＬＹの半周期毎に順次シフトするので（図２参照）、図４に示すようにＴ１では、走査線Ｇｋが駆動されており、期間Ｔ２では、走査線Ｇｋの１つ下側に位置している走査線Ｇｋ＋１が駆動される。このように駆動装置の表示部１４において、走査線側転送クロックＣＬＹの半周期毎に走査線駆動回路１１から出力される走査信号Ｇｎが順次シフトしていく。
【００５８】
再び図３に戻って、期間Ｔ１では、データ線にはデータ転送クロックＣＬＸに同期して画像データ信号Ｄｓが印加される。つまり、走査信号Ｇｎにより駆動された各画素１４ｃに対して、オン又はオフ電圧からなるデジタル信号が入力され、書き込まれる。
【００５９】
例えば、図３（ｄ）に示すように、期間Ｔ１では走査信号Ｇ１により走査線が駆動されている間に、４回画像データ信号Ｄｓが書き込まれている。期間Ｔ２では走査信号Ｇ２によって、画像表示領域において一本下側の走査線が駆動され、その間に、再び４回画像データ信号Ｄｓが書き込まれている。尚、図３（ｃ）では、４回ずつデータが書き込まれているが、期間Ｔ１を超えない範囲であれば、何回画像データ信号Ｄｓを書き込んでもよい。
【００６０】
このように、１本の走査線を駆動している最中に、データを複数回書き込むことによって、一水平時間（即ち、期間Ｔ１又は期間Ｔ２）を４つのサブフィールドに分割している。つまり、一水平時間において分割されて形成したサブフィールドの期間は、画像データＤｓの書き込みタイミングによって規定されている。尚、４回目のデータを書き込んだ後は、期間Ｔ１が終了するまでデータの書き込み動作が行われていないため、ＳＦ４はＳＦ１〜ＳＦ３に比べて時間が長くなっている。一方、期間Ｔ２でも同様に、ＳＦ８はＳＦ５〜ＳＦ７に比べて時間が長くなっている。
【００６１】
各サブフィールドでは、オン電圧又はオフ電圧からなる画像データ信号Ｄｓが夫々印加されるので、サブフィールド単位で各画素は駆動され、オン電圧による表示（即ち、真っ白又は真っ黒）とオフ電圧による表示（即ち、真っ黒又は真っ白）がなされる。そのため、中間調電位の画像信号が供給されることはなく、各画素はオン電圧による表示とオフ電圧による表示との時間平均によって、視覚上における複数階調が実現される。
【００６２】
このように、第ｉ選択期間に画像信号が複数回書き込まれることによって、第ｉ選択期間を更に細かい複数のサブフィールドに分割することでサブフィールド駆動を実現することができる。従って、走査線の走査スピードを増加させることなく、画像信号の書き込みタイミングによってサブフィールドの数を増加させることができる。その結果、例えば複数の走査線が順次駆動されることによって画像が表示される線順次方式の表示装置においても、階調数の多いサブフィールド駆動によって高品質な画像表示が可能となる。
【００６３】
特に本実施形態では、画像データ信号Ｄｓは、期間Ｔ１及びＴ２中において夫々、連続して複数回供給されている。このように画像データ信号Ｄｓを供給すれば、供給する画像データ信号Ｄｓの数を増やすだけで、サブフィールドの数を極めて容易に増やすことができる。また、供給される画像データ信号Ｄｓは連続に供給されており、各々の間に余分な信号等が入っていないため、夫々のサブフィールドの期間を極めて短くすることができる。その結果、その結果、１フィールドにおけるサブフィールドの数を飛躍的に増大させることが可能となり、高画質な表示装置の駆動装置を実現することができる。
［第２実施形態］
第２実施形態では、サブフィールドを規定する画素への画像データ信号Ｄｓの書き込みタイミングを任意に制御できる点で、前述した第１実施形態と異なる。この形態は、コントローラ４０がデータ線駆動回路１０１に対して画像データ信号Ｄｓの出力タイミングを任意に調整することによって実現される。
【００６４】
図５は、走査線側転送クロックＣＬＹ、走査信号Ｇｎ（尚、図５では代表してＧ１及びＧ２のみを表示）、データ転送クロックＣＬＸ及び画像データ信号Ｄｓの様子を示したタイミングチャート図である。
【００６５】
図５に示すように、本実施形態においては、画像データ信号Ｄｓは、期間Ｔ１又はＴ２において不連続で２回ずつ供給されている。つまり、画像データ信号Ｄｓの供給タイミングを調整することにより、各画素に供給される複数の画像信号のうち時間的に隣接する２つの画像信号の間に、任意の待ち時間を設ける。その結果、夫々のサブフィールドの期間を任意に調整している。このように本実施形態によれば、第１実施形態に比べてサブフィールド期間をより時間的な自由度を確保しつつ規定することができる。
［第３実施形態］
続いて、第３実施形態における駆動方法について説明する。
【００６６】
図６は、本実施形態に係る電気光学装置の駆動装置の電気的構成を示したブロック図である。
【００６７】
コントローラ１０は、クロック信号、垂直走査信号、水平走査信号、画像信号等を外部から取得し、スタートパルスＤＹと、走査側転送クロックＣＬＹと、イネーブル信号ＥＮＢＹ１、ＥＮＢＹ２、ＥＮＢＸと、データ転送クロックＣＬＸと、データ信号Ｄｓと、を生成する。イネーブル信号ＥＮＢＹ１、ＥＮＢＹ２は、ハイレベル又はローレベルを示すデータであり、走査線駆動回路１０４から表示パネル１００に対して出力すべきデータを選択するために用いられる。イネーブル信号ＥＮＢＸは、データ線駆動回路１０４へデータ転送を開始する、及び走査線毎にデータを画素１４ｃへ出力するタイミングを決めるパルス信号であって、走査側転送クロックＣＬＹのレベル遷移（即ち、立ち上がり及び立ち下がり）に同期して出力される。データ転送クロックＣＬＸは、データ線駆動回路１２へデータを転送するタイミングを規定する信号である。データ信号Ｄｓは、コントローラ１０に入力された画像信号に対応するデータであり、サブフィールド期間毎に画素１４ｃをオン状態又はオフ状態にするためのハイレベル又はローレベルを示すデータである。
【００６８】
走査線駆動回路１０４は、コントローラ１０から、スタートパルスＤＹと、走査側転送クロックＣＬＹと、イネーブル信号ＥＮＢＹ１、ＥＮＢＹ２とを取得し、表示パネル１００の走査線１４ａに対して走査信号Ｇ１、Ｇ２、Ｇ３、…、Ｇｎを出力する。
【００６９】
データ線駆動回路１０１は、コントローラ４０から、イネーブル信号ＥＮＢＸと、データ転送クロックＣＬＸと、データ信号Ｄｓとを取得し、表示パネル１４のデータ線１４ｂに対してデータ信号ｄ１、ｄ２、ｄ３、…、ｄｍを出力する。
【００７０】
ここで、図７を参照して、走査線駆動回路１０４の構成と動作について具体的に説明する。図７は、走査線駆動回路１０４の概略構成を示す図である。走査線駆動回路１０４は、２つのシフトレジスタ１１ａａ及び１１ａｂと、アンド回路１１ｂ１〜１１ｂｎとを備えて構成されている。
【００７１】
走査信号Ｇ１〜Ｇｎ／２は、走査側転送クロックＣＬＹ及びスタートパルスＤＹが入力され、イネーブル信号ＥＮＢＹ１がハイレベルに設定されることにより、シフトレジスタ１１ａａが順次、アンド回路１１ｂ１〜１１ｂｎ／２を駆動して出力される。走査信号Ｇｎ／２＋１〜Ｇｎは、走査側転送クロックＣＬＹ及びスタートパルスＤＹが入力され、イネーブル信号ＥＮＢＹ２がハイレベルに設定されることにより、シフトレジスタ１１ａｂが順次、アンド回路１１ｂｎ／２＋１〜１１ｂｎを駆動して出力される。このようにして、シフトレジスタ１１ａａにより走査信号Ｇ１からＧｎ／２が出力されることにより、画像表示領域１０ａの上半分にある走査線が駆動され、シフトレジスタ１１ａｂにより走査信号Ｇｎ／２＋１からＧｎが出力されることにより、画像表示領域１０ａの下半分にある走査線が駆動される。また、２つのシフトレジスタ１１ａａ及び１１ａｂは、走査側転送クロックＣＬＹ及びスタートパルスＤＹに従い、走査線Ｇ１〜Ｇｎ／２と走査線Ｇｎ／２＋１〜Ｇｎとが交互に選択されるように駆動される。従って、本変形例においては、走査信号Ｇ１〜Ｇｎは走査側転送クロックＣＬＹ及びスタートパルスＤＹに従って、Ｇ１、Ｇｎ／２＋１、Ｇ２、Ｇｎ／２＋２、Ｇ３、Ｇｎ／２＋３、・・・・、Ｇｎ／２、Ｇｎの順で、順次駆動される（図８参照）。
【００７２】
このように、例えば画像表示領域１０ａを大きく２つの領域に分け、夫々の領域における走査線を交互に線順次駆動することにより一方の走査線が表示している間に、他の走査線はアドレス期間に割り当てることができる。つまり、２本の走査線を交互に走査することによって、サブフィールドの期間を１垂直走査時間よりも短くすることが可能になる。即ち、サブフィールド駆動で領域走査を実施可能となる。
【００７３】
次に、図９は、本実施形態の走査線側転送クロックＣＬＹの１周期間における、走査信号Ｇｋ、イネーブル信号ＥＮＢＹ１及びＥＮＢＹ２、データ転送クロックＣＬＸ並びに画像データ信号Ｄｓの様子をタイミングチャートとして示した図である。
【００７４】
期間Ｔ１においてはイネーブル信号ＥＮＢＹ１がハイレベルに設定されている場合は、走査信号Ｇ１がハイレベルに設定され、イネーブル信号ＥＮＢＹ２がハイレベルに設定されている場合は、走査信号Ｇｎ／２＋１がハイレベルに設定される。一方、期間Ｔ２においては駆動される走査線が１本ずつシフトするので、イネーブル信号ＥＮＢＹ１がハイレベルに設定されている場合は、走査信号Ｇ２がハイレベルに設定され、イネーブル信号ＥＮＢＹ２がハイレベルに設定されている場合は、走査信号Ｇｎ／２＋２がハイレベルに設定される。
【００７５】
図９（ｆ）を参照すると、サブフィールドＳＦ１では、イネーブル信号ＥＮＢＹ１がハイレベルになっているので、当該信号に基づいて走査線駆動回路１０４から走査信号Ｇ１が出力され、駆動された走査線上にある画素が駆動される。このとき各画素に画像データ信号Ｄｓが書き込まれ、画素がオン又はオフ駆動される。
【００７６】
次に、サブフィールドＳＦ２では、イネーブル信号ＥＮＢＹ２がハイレベルになっているので、当該信号に基づいて走査線駆動回路１０４から走査信号Ｇｎ／２＋１が出力され、駆動された走査線上にある画素が駆動される。このとき各画素に画像データ信号Ｄｓが書き込まれ、画素がオン又はオフ駆動される。
【００７７】
続いて、サブフィールドＳＦ３では、サブフィールドＳＦ２期間と同様に、イネーブル信号ＥＮＢＹ２がハイレベルになっているので、当該信号に基づいて走査線駆動回路１１から走査信号Ｇｋが出力され、同じ走査線に接続された各画素に２値データＤｓが書き込まれ、オン又はオフ駆動される。ここで、サブフィールドＳＦ２とＳＦ３とでは、同じイネーブル信号ＥＮＢＹ２によって走査線が駆動されているため、走査線駆動回路１０４の状態を変えることなく、単純に画像データ信号Ｄｓを入力すればよい。
【００７８】
そして、サブフィールドＳＦ４では、再びイネーブル信号ＥＮＢＹ１がハイレベルになっているので、当該信号に基づいて走査線駆動回路１０４から走査信号Ｇ１が出力され、サブフィールドＳＦ１期間において駆動された走査線と同じ走査線が駆動される。そして、当該走査線に接続された各画素に画像データ信号Ｄｓが書き込まれ、オン又はオフ駆動される。
【００７９】
尚、期間Ｔ２においても、図９に示す如く、各サブフィールドにおいてオン電圧又はオフ電圧からなる画像データ信号Ｄｓが入力されることにより、画素への書き込みが行われる。
【００８０】
このように、領域走査における上下領域の一方では走査信号Ｇ１（或いは走査信号Ｇｎ／２＋２）の如く、切り換えの前後で同一走査線に対して走査信号が供給され、他方の領域では走査信号Ｇ２（或いは走査信号Ｇｎ／２＋１）の如く、同一走査線に走査信号が２回供給されてから、他方の領域への切り替えが行われる。しかも、各サブフィールドの期間が等しくなることから、１フレームにおいて複数のサブフィールドを効率的に配置することができる。しかもイネーブル信号ＥＮＢＹ１及びＥＮＢＹ２の配置間隔を狭めること或いは広げることで、各サブフィールドの長さをより広いダイナミックレンジにて調整できる。
【００８１】
以上詳細に説明したように、本実施形態によれば、他の実施形態に比べて夫々のサブフィールドの期間や１水平時間における数を、より自由に調整することが可能となる。しかも、画像データ信号Ｄｓの書き込み回数によってサブフィールドの数が規定されるため、走査線の走査スピードを増加させることなく、画像信号の書き込みタイミングによってサブフィールドの数を増加させることが可能であり、例えば線順次方式の表示装置においても、階調数の多いサブフィールド駆動によって高品質な画像表示が可能となる。
【００８２】
＜電気光学装置＞
次に、上述した駆動装置が適用される電気光学装置５００について、図１０及び図１１を参照して説明する。以下の実施形態では、本発明の電気光学装置の一例であるＴＦＴ（Thin Film Transistor）アクティブマトリクス駆動方式の液晶装置を例にとる。
【００８３】
先ず、本実施形態に係る電気光学装置における電気光学パネルの構成について説明する。ここに図１０は、本実施形態に係る電気光学パネルの構成を示す平面図であり、図１１は、図１０のＨ−Ｈ´線断面図である。
【００８４】
図１０及び図１１において、本実施形態に係る電気光学パネル５００では、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、これら一対の配向膜間で所定の配向状態をとる。ＴＦＴアレイ基板１０と対向基板２０とは、複数の画素電極が設けられた画像表示領域１０ａの周囲に位置するシール領域に設けられたシール材５２により相互に接着されている。
【００８５】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。
【００８６】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００８７】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００８８】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通がとられている。
【００８９】
続いて、図１０において、ＴＦＴアレイ基板１０上には、駆動素子である画素スイッチング用のＴＦＴや走査線、データ線等の配線が作り込まれた積層構造が形成される。この積層構造の詳細な構成については図１０では図示を省略してあるが、この積層構造の上に、ＩＴＯ（Indium Tin Oxide）等の透明材料からなる画素電極９ａが、画素毎に所定のパターンで島状に形成され、その表面は配向膜によって覆われている。当該配向膜は液晶５０と接している。
【００９０】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００９１】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００９２】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図１０には図示しないカラーフィルタが形成されるようにしてもよい。対向基板２０の対向面上における、対向電極２１上には、配向膜２２が形成されている。
【００９３】
尚、図１０及び図１１に示したＴＦＴアレイ基板１０上には、これらのデータ線駆動回路１０１、走査線駆動回路１０４等の駆動回路に加えて、画像信号線上の画像信号（即ち、データ信号）をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００９４】
液晶層５０）を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射される。
【００９５】
ここで保持された画像信号がリークすることを防ぐために、画素電極９ａと対向電極２１）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに接続され、他方の電極は、定電位となるように、電位固定の容量線３００に接続されている。蓄積容量７０によれば、画素電極９ａにおける電位保持特性が向上し、コントラスト向上やフリッカの低減といった表示特性の向上が可能となる。
【００９６】
［電子機器］
次に、上述した実施形態に係る電気光学装置５００を適用可能な電子機器の具体例について図１２及び図１３を参照して説明する。
【００９７】
まず、上述した実施形態に係る電気光学装置５００を、可搬型のパーソナルコンピュータ（いわゆるノート型パソコン）の表示部に適用した例について説明する。図１２（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００９８】
続いて、上述した実施形態に係る電気光学装置５００を、携帯電話機の表示部に適用した例について説明する。図１２（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置を適用した表示部７２４を備える。
【００９９】
次に、図１３を参照して、上述した実施形態に係る電気光学装置５００をライトバルブとして用いたプロジェクタについて説明する。
【０１００】
図１３に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１０１】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１０２】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１０３】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１０４】
尚、図１３を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１０５】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１０６】
本発明は、上述した実施形態に限られるものではなく、請求の範囲及び明細書全体から読み取れる発明の要旨或いは思想に反しない範囲で適宜変更可能であり、そのような変更を伴う電気光学装置用基板及び電気光学装置、並びに該電気光学装置を備えた電子機器もまた本発明の技術的範囲に含まれるものである。
【図面の簡単な説明】
【０１０７】
【図１】第１実施形態に係る電気光学装置の駆動装置の概略構成を示すブロック図である。
【図２】第１実施形態で用いるスタートパルスを示す図である。
【図３】第１実施形態における制御信号のタイミングチャートを示す。
【図４】第１実施形態における電気光学装置の駆動装置の走査線の配置を示す模式図である。
【図５】第２実施形態における制御信号のタイミングチャートを示す。
【図６】第３実施形態に係る電気光学装置の駆動装置の概略構成を示すブロック図である。
【図７】第３実施形態に係る走査線駆動回路の概略構成を示す模式図である。
【図８】第３実施形態における走査線駆動回路の制御信号のタイミングチャート図である。
【図９】第３実施形態における制御信号のタイミングチャートを示す。
【図１０】本発明を適用した電気光学装置の平面図である。
【図１１】図９のＨ−Ｈ´断面図である。
【図１２】本発明を適用した電子機器の一例である。
【図１３】本発明を適用した電子機器の他の例である。
【符号の説明】
【０１０８】
１１ａ  シフトレジスタ、  １１ｂ  アンド回路、  １４  表示パネル、  １４ａ  走査線、  １４ｂ  データ線、  １４ｃ  画素、  ４０  コントローラ、  １０１  データ線駆動回路、  １０４  走査線駆動回路、  ５００  電気光学装置
【図１】
2010026086.tif 000003
【図２】
2010026086.tif 000004
【図３】
2010026086.tif 000005
【図４】
2010026086.tif 000006
【図５】
2010026086.tif 000007
【図６】
2010026086.tif 000008
【図７】
2010026086.tif 000009
【図８】
2010026086.tif 000010
【図９】
2010026086.tif 000011
【図１０】
2010026086.tif 000012
【図１１】
2010026086.tif 000013
【図１２】
2010026086.tif 000014
【図１３】
2010026086.tif 000015